(57)【要約】【課題】小物類、特に棒状でない物品の出し入れがしやすく、収納した小物類の視認性が良好な収納ケースを提供する。【解決手段】対向する内面間に小物類を収納するための収納空間６を形成するとともに、開閉可能であるように後縁部が連結され、互いに接近した収縮姿勢と、拡開して収納空間６を前方に開放しその状態で卓上に起立させることのできる拡張姿勢とをとり得る、対をなす側壁１、２と、前記収納空間６内に設けられ、前記収縮姿勢において撓み、前記拡張姿勢において展開してその上に棒状でない小物類を載置できかつ当該小物類を前方から視認できる棚７１、７２とを具備する小物類の収納ケースを構成した。【選択図】図１
2020039705.tif 000002
【特許請求の範囲】
【請求項１】
対向する内面間に小物類を収納するための収納空間を形成するとともに、開閉可能であるように後縁部が連結され、互いに接近した収縮姿勢と、拡開して収納空間を前方に開放しその状態で卓上に起立させることのできる拡張姿勢とをとり得る、対をなす側壁と、
前記収納空間内に設けられ、前記収縮姿勢において撓み、前記拡張姿勢において展開してその上に棒状でない小物類を載置できかつ当該小物類を前方から視認できる棚と
を具備する小物類の収納ケース。
【請求項２】
前記棚が、前記拡張姿勢において前記収納空間の下縁よりも上方に浮いた位置に設けられている請求項１記載の小物類の収納ケース。
【請求項３】
前記棚が、前記拡張姿勢において前記収納空間内で上下方向に複数段設けられている請求項１記載の小物類の収納ケース。
【請求項４】
前記棚の前端部に、前記収縮姿勢において撓み、前記拡張姿勢において展開して棚の上面よりも上方に立ち上がるこぼれ止めが付設されている請求項１、２または３記載の小物類の収納ケース。
【請求項５】
前記拡張姿勢において前記収納空間の下縁よりも上方に浮いた位置に配された前記棚の前端部に、当該棚における小物類が載置される部位と比較して剛性が高い補強部が設けられている請求項２または３記載の小物類の収納ケース。
【請求項６】
前記拡張姿勢において前記収納空間の下縁よりも上方に浮いた位置に配された前記棚の前端部に、前記収縮姿勢において撓み、前記拡張姿勢において展開して棚の上面よりも上方に立ち上がるこぼれ止めが付設され、
かつ、当該棚と当該こぼれ止めとが交わる部位をつまみ縫いすることで、当該棚における小物類が載置される部位と比較して剛性が高い補強部が設けられる請求項２または３記載の小物類の収納ケース。
【請求項７】
前記拡張姿勢において前記収納空間の下縁にあたる位置に配された前記棚に付設されている前記こぼれ止めが、拡張姿勢から前記収縮姿勢に遷移する過程で前方に凸になるように畳まれる請求項４または６記載の小物類の収納ケース。
【請求項８】
前記拡張姿勢において前記収納空間を左右に区画する仕切壁を具備し、
前記仕切壁により区画された前記収納空間の一方に前記棚が設けられ、他方に棒状の小物類を収納する空間領域が確保されている請求項１、２、３、４、５、６または７記載の小物類の収納ケース。
【請求項９】
前記収縮姿勢において対をなす前記側壁の前縁部同士を結合する一本のファスナを具備する請求項８記載の小物類の収納ケース。
【請求項１０】
対をなす前記側壁の前縁部に互いに相寄る方向に拡張するマチが設けられ、そのマチの端縁に前記ファスナが設けられている請求項９記載の小物類の収納ケース。
【発明の詳細な説明】
【技術分野】
【０００１】
本発明は、卓上に起立させて使用することが可能であり携行も容易な小物類の収納ケースに関する。
【背景技術】
【０００２】
下記特許文献に、比較的長尺な棒状の小物類、例えば筆記具、スティック糊、メイクブラシ、フォークやスプーン等の収納に適した収納ケースが開示されている。この収納ケースに収納している小物類を取り出して使用する際には、ファスナを開き側壁を拡開させて内部の収納空間を露出させる。その状態で、デスクやテーブル等の天板上に載置して自立させることができるので、収納空間に対して棒状の小物類を円滑に出し入れできる。小物類を運搬する際には、両側壁を畳んでファスナを閉じればよい。
【０００３】
棒状の小物類を収納する都合上、当該収納ケースの両側壁の前縁部には、それら両前縁部同士を連結するように拡張した前板（または、壁）が設けられている。前板は、収納ケースを自立させているときに、収納空間内に立て置かれている小物類が手前方に倒れて収納空間外に脱落することを防ぐ役割を担う。そのために、前板の上下寸法が大きくとられており（実際には、７０ｍｍ超）、前板の上端縁の位置が高く、収納空間は深底となっている。
【０００４】
当該収納ケースに、棒状でない小形の文具類その他の物品を収納することも勿論可能である。しかしながら、高い前板に阻まれて物品の出し入れが必ずしも容易ではなく、収納した物品の前方からの視認性も前板に遮られて低下するきらいがある。
【先行技術文献】
【特許文献】
【０００５】
【特許文献１】特開２０１７−０５６１２５号公報
【特許文献２】特開２０１７−１４００６７号公報
【発明の概要】
【発明が解決しようとする課題】
【０００６】
本発明は、小物類、特に棒状でない物品の出し入れがしやすく、収納した小物類の視認性が良好な収納ケースを提供しようとするものである。
【課題を解決するための手段】
【０００７】
本発明では、対向する内面間に小物類を収納するための収納空間を形成するとともに、開閉可能であるように後縁部が連結され、互いに接近した収縮姿勢と、拡開して収納空間を前方に開放しその状態で卓上に起立させることのできる拡張姿勢とをとり得る、対をなす側壁と、前記収納空間内に設けられ、前記収縮姿勢において撓み、前記拡張姿勢において展開してその上に棒状でない小物類を載置できかつ当該小物類を前方から視認できる棚とを具備する小物類の収納ケースを構成した。
【０００８】
前記棚は、前記拡張姿勢において前記収納空間の下縁よりも上方に浮いた位置に設けられることがある。
【０００９】
また、前記棚は、前記拡張姿勢において前記収納空間内で上下方向に複数段設けられることがある。
【００１０】
前記棚の前端部に、前記収縮姿勢において撓み、前記拡張姿勢において展開して棚の上面よりも上方に立ち上がるこぼれ止めが付設されることもあり得る。
【００１１】
前記拡張姿勢において前記収納空間の下縁よりも上方に浮いた位置に配された前記棚の前端部に、当該棚における小物類が載置される部位と比較して剛性が高い補強部が設けられていてもよい。
【００１２】
前記補強部は、例えば、前記棚と前記こぼれ止めとが交わる部位をつまみ縫いすることによって形成される。
【００１３】
前記拡張姿勢において前記収納空間の下縁にあたる位置に配されている前記棚に付設された前記こぼれ止めは、拡張姿勢から前記収縮姿勢に遷移する過程で前方に凸になるように畳まれることが好ましい。
【００１４】
好ましい態様としては、前記拡張姿勢において前記収納空間を左右に区画する仕切壁を具備し、前記仕切壁により区画された前記収納空間の一方に前記棚が設けられ、他方に棒状の小物類を収納する空間領域が確保されているものが挙げられる。
【００１５】
そして、前記収縮姿勢において対をなす前記側壁の前縁部同士を結合する一本のファスナを具備していれば、そのファスナを開く操作を通じて、棚のある棒状でない小物類の収納に適した空間領域と、棒状の小物類の収納に適した空間領域とを同時に開放することができる。並びに、そのファスナを閉じる操作を通じて、両空間領域を同時に閉鎖することができる。
【００１６】
対をなす前記側壁の前縁部に互いに相寄る方向に拡張するマチ（襠）が設けられ、そのマチの端縁に前記ファスナが設けられていれば、収縮状態における収納空間の容積を必要十分に確保できる。
【発明の効果】
【００１７】
本発明によれば、小物類、特に棒状でない物品の出し入れがしやすく、収納した小物類の視認性も良好な収納ケースが実現される。
【図面の簡単な説明】
【００１８】
【図１】本発明の一実施形態の収納ケースを拡張姿勢とした状態を示す斜視図。
【図２】同収納ケースを拡張姿勢としかつ上方を開放した状態を示す斜視図。
【図３】同収納ケースを収縮姿勢とした状態を示す斜視図。
【図４】同収納ケースを収縮姿勢とした状態を後方から見た斜視図。
【図５】同収納ケースを拡張姿勢とした状態を示す下面図。
【図６】同収納ケースを収縮姿勢とした状態を示す下面図。
【図７】同収納ケースを拡張姿勢から収縮姿勢に遷移させる過程における下段の棚のこぼれ止めを拡大して示す斜視図。
【図８】同収納ケースの上段の棚の補強部の構造を示す要部側端面図。
【図９】本発明の変形例の一を示す斜視図。
【図１０】本発明の変形例の一を示す斜視図。
【図１１】本発明の変形例の一を示す斜視図。
【発明を実施するための形態】
【００１９】
本発明の一実施形態を、図面を参照して説明する。図１ないし図７に、本実施形態の小物類の収納ケースを示している。本実施形態の収納ケースは、後縁部が連結部たる背壁３を介して連結されており開閉可能な左右一対の側壁１、２の間に、小物類を収納可能な収納空間６を形成するものである。
【００２０】
本収納ケースは、両側壁１、２の内面が対向するように互いに接近して収納空間６を閉鎖する収縮姿勢と、両側壁１、２が離反するように拡開して収納空間６を開放する拡張姿勢とをとり得る。収納ケースが収縮姿勢をとるとき、左右の側壁１、２及び背壁３は、平面視または下面視において略コ字形をなす。背壁３は可撓性を有し、一方の側壁１が他方の側壁２に対して相対的に回動するためのヒンジとなる。側壁１、２の下縁の高さと、背壁３の下縁の高さとは揃っている。そして、図１及び図２に示す拡張姿勢において、拡開した左右の側壁１、２及び背壁３の下縁をデスクやテーブル等の天板上に載せ置き、収納空間６を前方に開口しながら収納ケースを立てた状態で自立させることができる。
【００２１】
各側壁１、２はそれぞれ、収納空間６を外側方から遮蔽する面板１１、２１と、それら面板１１、２１の縁部から互いに相寄る方向即ち内側方に延出するマチ１２、２２とを備える。マチ１２、２２の前部１２１、２２１は面板１１、２１の前縁部に連接し、マチ１２、２２の上部１２２、２２２は面板１１、２１の上縁部に連接する。そして、マチ１２、２２の後部１２３、２２３は、面板１１、２１の後縁部における、面板１１、２１同士を連結する背壁３の上方にある部位に連接する。マチ１２、２２の前部１２１、２２１、上部１２２、２２２及び後部１２３、２２３、並びに背壁３は連続しており、図３及び図４に示す収縮状態において、収納空間６を前方、上方及び後方から遮蔽する。
【００２２】
本収納ケースは一本のファスナ４を備えており、このファスナ４により、収縮姿勢にある両側壁１、２の前縁部、上縁部、及び後縁部の上方の部位を結合することができる。周知の通り、ファスナ４は、テープ４１１、４２１を介して各側壁１、２のマチ１２、２２の端縁部即ち内側縁部に連接する一対の務歯４１２、４２２（エレメント）と、それら務歯４１２、４２２を噛合させまたその噛合を解結するスライダ４３とを要素とする。ファスナ４の務歯４１２、４２２は、マチ１２、２２の前部１２１、２２１、上部１２２、２２２及び後部１２３、２２３に亘って延伸している。ファスナ４の上止４４はマチ１２、２２の前部１２１、２２１の下端にあり、下止４５はマチ１２、２２の後部１２３、２２３の下端、換言すれば背壁３の上端にある。
【００２３】
収縮姿勢において、ファスナ４のスライダ４３を下止４５から上止４４まで移動させれば、両側の務歯４１２、４２２が噛合してファスナ４が閉じ、一方の側壁１のマチ１２と他方の側壁２のマチ２２とが離間不能になる。即ち、収納空間６が閉鎖された状態に維持され、収納空間６内に収納した小物類を脱落させることなく収納ケースを携行、運搬できる。逆に、スライダ４３を上止４４から下止４５まで移動させれば、噛合していた両側の務歯４１２、４２２が解離されてファスナ４が開き、一方の側壁１のマチ１２と他方の側壁２のマチ２２とが離間可能になる。ひいては、一方の側壁１を他方の側壁２に対し相対的に回動させて収縮姿勢から拡張姿勢へと遷移させ、収納空間６を開放して小物類を出し入れできるようになる。
【００２４】
一方の側壁１に連なるマチ１２の幅寸は、他方の側壁２に連なるマチ１２のそれよりも大きい。つまり、ファスナ４は、収納ケース（の背壁３）の幅寸法の中央よりも他方側に偏倚している。背壁３の幅寸法は、両側のマチ１２、２２の幅寸法及びファスナ４（のテープ４１１、４２１及び務歯４１２、４２２）の幅寸法の合算に等しい。
【００２５】
本収納ケースの側壁１、２の上部には、取っ手（または、つまみ、持ち手）１３を設けている。取っ手１３は、一方の側壁１の面板１１の上縁部とマチ１２の上部１２２とが交わる部位に固定している。この取っ手１３は、収縮姿勢としファスナ４を閉じた収納ケースを鞄や箱その他の入れ物に収めているときに、これを手指でつまんで当該収納ケースを入れ物から持ち出すために利用できる。
【００２６】
図２に示しているように、拡張姿勢において、左右の側壁１、２の面板１１、２１の上側領域１１１、２１１をそれぞれ外側方に曲げ、かつその上側領域１１１、２１１に連なるマチ１２、２２の後部１２３、２２３、上部１２２、２２２及び前部１２１、２２１を外側方にめくり返すことで、収納空間６の上方を開放することもできる。なお、面板１１、２１の下方領域１１２、２１２には芯材を内蔵してその剛性を上方領域１１１、２１１やマチ１２、２２と比較してより高めているが、上方領域１１１、２１１には芯材を必ずしも内蔵していない。
【００２７】
収納ケースの内部の収納空間６は、仕切壁５によって左右に区画されている。その一方の空間領域６１、６２は、主として棒状でない小物類を収納するのに利用できる。他方の空間領域６３は、主として棒状の小物類を収納するのに利用できる。本収納ケースをペンケースとして用いる場合、空間領域６３にペンその他の筆記具、カッターナイフ、はさみ、定規、スティック糊等の長尺な物品を収納することができる。その上で、空間領域６１、６２にはその他の種類の文具類、例えば消しゴム、シャープペンシルの替え芯のケース、比較的小形のセロハンテープ、テープ糊、修正テープ等を収納することができる。
【００２８】
仕切壁５は、その後縁部を背壁３の内面即ち前向面に取り付けて直立させた薄板体である。仕切壁５には芯材を内蔵してその剛性を高めている。収納ケースの幅方向に沿った仕切壁５の後縁部の取付位置は、収納ケースの幅寸法の中央よりも一方側に偏倚し、両側のマチ１２、２２の間に介在するファスナ４の位置に略合致している。これにより、一方の空間領域６１、６２の幅方向の内寸即ち容積が、他方の空間領域６３の幅方向の内寸即ち容積よりも大きくなっている。
【００２９】
仕切壁５の上下寸法は、収納ケース（の側壁１、２）の上下寸法よりも小さい。仕切壁５の上縁は、収納空間６の上縁、換言すればマチ１２、２２の上部１２２、２２２よりも下方に位置する。仕切壁５の下縁は、側壁１、２及び背壁３の下縁と同等の高さ位置、またはそれよりも若干上方にある。仕切壁５の前後寸法は、収納ケース（の側壁１、２）の前後寸法よりも僅かに小さい。収縮姿勢においてファスナ４を閉じると、仕切壁５は側壁１、２の面板１１、２１、マチ１２、２２及び背壁３に囲繞される収納空間６の内に収まり、外部に表出しない。
【００３０】
棒状でない小物類を収納する空間領域６１、６２には、上下方向に複数段の棚７１、７２を設けている。これら棚７１、７２の上に、棒状でない小物類を、横たえるようにして載置することが可能である。各棚７１、７２は、図１、図２及び図５に示すように収納ケースが拡張姿勢をとるときに左右に展開し、図３、図４及び図６に示すように収縮姿勢をとるときに畳まれる、可撓性を有する部材である。そして、拡張姿勢において、各棚７１、７２の上に小物類を載置することができる。棚７１、７２に載置した小物類は、収納ケースの前方から容易に視認できる。棚７１、７２の一方の側端部は、側壁１の面板１１の内面に取り付けて支持させる。棚７１、７２の他方の側端部は、仕切壁５における側壁１の面板１１に臨む面に取り付けて支持させる。さらに、下段の棚７２については、その後端部を、背壁３の前向面に取り付けて支持させる。
【００３１】
上段の棚７１は、棒状でない小物類を収納する空間領域６１、６２の下縁、換言すれば下段の棚７２から上方に浮いている。つまり、この棚７１の上は無論のこと、この棚７１の下方の空間６２をも、小物類の収納に有効に活用することができる。上段の棚７１が、当該空間領域６１、６２の上縁よりも下方に位置することは言うまでもない。
【００３２】
上段の棚７１の前端部には、拡張姿勢において左右に展開し棚７１の上面よりも上方に立ち上がるこぼれ止め７１１を付設している。こぼれ止め７１１は、棚７１上に載置した小物類が棚７１から落下することを抑制する。こぼれ止め７１１は、収縮姿勢において棚７１とともに畳まれる可撓性を有している。こぼれ止め７１１の一方の側端部は、側壁１の面板１１の内面に取り付けて支持させる。こぼれ止め７１１の他方の側端部は、仕切壁５における側壁１の面板１１に臨む面に取り付けて支持させる。つまり、こぼれ止め７１１は、上段の棚７１とともに、一方の側壁１の面板１１と仕切壁５とを連結する。このこぼれ止め７１１の両側端部は、側壁１の面板１１及び仕切壁５の前縁に沿うようにして、面板１１及び仕切壁５に接合している。
【００３３】
棚７１の上に載置した小物類の前方からの視認性を確保するために、こぼれ止め７１１の上下寸法は比較的小さく、棚７１から見たこぼれ止め７１１の上端縁の高さは比較的低位置にある。本実施形態では、上段の棚７１のこぼれ止め７１１の上下寸法を、約３０ｍｍに設定している。
【００３４】
上段の棚７１とこぼれ止め７１１とが交わる部位、即ち棚７１の前端部及び／またはこぼれ止め７１１の下端部には、可撓性を有しながらも棚７１における小物類が載置される部位と比較してより剛性を高めた補強部７１２を設ける。補強部７１２は、上段の棚７１の前端部及びこぼれ止め７１１の下端部に沿って幅方向に延伸し、拡張姿勢において展開した上段の棚７１が下方に弛む（または、沈む）ことを抑制する。
【００３５】
補強部７１２は、例えば、棚７１とこぼれ止め７１１とが交わる部位をつまみ縫いすることで形成する。即ち、図８に示すように、連続した一枚の布や皮革等のシート材により、棚７１と、この棚７１から上方に起立するこぼれ止め７１１とを形成する。その際に、当該シート材を、棚７１の前端部において一旦垂下するように屈曲させ、その後再び立ち上がるように山折りしてこぼれ止め７１１を設け、その折り山の際を縫い糸７１３で縫う（折り山に沿って、幅方向に縫い進める）。このようなつまみ縫いにより、棚７１の前端部かつこぼれ止め７１１の下端部に、幅方向に延伸する、シート材をつまんで作った細いタック（折り込みまたは縫い襞）の如き構造が現れる。
【００３６】
補強部７１２を、棚７１とこぼれ止め７１１とが交わる部位をパイピングすることで形成することもできる。パイピングは、棚７１の前端縁及びこぼれ止め７１１の下端縁をバイアステープで包むか、あるいは、棚７１の前端縁とこぼれ止め７１１の下端縁との間に芯となる線材を包むパイピングテープを介在させる（コードパイピングまたははさみ縫い）ことで行う。バイアステープまたはパイピングテープは、棚７１やこぼれ止め７１１を構成する材料に縫い付けてもよいし、棚７１やこぼれ止め７１１を構成する材料に接着または溶着等してもよい。
【００３７】
補強部７１２を、つまみ縫いやパイピング以外の手法により形成することも当然に可能である。例えば、棚７１の前端部またはこぼれ止め７１１の下端部に幅方向に伸長する芯材を縫着、接着または溶着等する、平面視コ字形をなす弾性変形可能な金属ワイヤまたはばねを棚７１の前端縁及び左右両側端縁に沿わせるようにして棚７１に装着または内蔵する、その他が考えられる。
【００３８】
下段の棚７２は、空間領域６１、６２の下縁に位置し、ちょうど当該空間領域６１、６２の底となる。下段の棚７２は、側壁１、２及び背壁３の下縁と同等の高さ位置またはそれよりも若干上方にある。下段の棚７２の両側端部は、側壁１の面板１１及び仕切壁５の下縁に沿うようにして、面板１１及び仕切壁５に接合している。また、下段の棚７２の後端部は、背壁３の下縁に沿うようにして背壁３に接合している。
【００３９】
上段の棚７１と同様、下段の棚７２の前端部にも、拡張姿勢において左右に展開し棚７２の上面よりも上方に立ち上がるこぼれ止め７２１を付設している。こぼれ止め７２１は、棚７２上に載置した小物類が棚７２から落下することを抑制する。こぼれ止め７２１は、収縮姿勢において棚７２とともに畳まれる可撓性を有している。こぼれ止め７２１の一方の側端部は、側壁１の面板１１の内面に取り付けて支持させる。こぼれ止め７２１の他方の側端部は、仕切壁５における側壁１の面板１１に臨む面に取り付けて支持させる。つまり、こぼれ止め７２１は、下段の棚７２とともに、一方の側壁１の面板１１と仕切壁５とを連結する。このこぼれ止め７２１の両側端部は、側壁１の面板１１及び仕切壁５の前縁に沿うようにして、面板１１及び仕切壁５に接合している。
【００４０】
棚７２の上に載置した小物類の前方からの視認性を確保するために、こぼれ止め７２１の上下寸法は比較的小さく、棚７２から見たこぼれ止め７２１の上端縁の高さは比較的低位置にある。本実施形態では、下段の棚７２のこぼれ止め７２１の上下寸法を、約４５ｍｍに設定している。これは、上段の棚７１のこぼれ止め７１１の上下寸法よりも大きい。
【００４１】
本収納ケースの側壁１、２の下縁部には、マチ１２、２２が存在していない。従って、図５及び図６に示すように、下面視において下段の棚７２は隠蔽されず視認可能である。図６に示しているように、収縮姿勢においてファスナ４を閉じると、撓み変形して畳まれた棚７１、７２の前端部及びこぼれ止め７１１、７２１、並びに仕切壁５の前縁が、マチ１２、２２の前部１２１、２２１の内面即ち後向面に当接または極近接する。
【００４２】
収縮姿勢において、畳まれる下段の棚７２のこぼれ止め７２１と、マチ１２、２２の前部１２１、２２１の後向面との間に隙間が生じると、その隙間を通じて収納している小物類が脱落するおそれがある。そこで、本収納ケースにあっては、図７に示すように、拡張姿勢から収縮姿勢に遷移する、つまり拡開していた一方の側壁１が仕切壁５及び他方の側壁２の面板２１に向かって接近するように相対回動する過程で、下段の棚７２のこぼれ止め７２１が前方に凸な山折り状に畳まれるように、逆に言えばこぼれ止め７２１が後方に凹む谷折り状に畳まれて空間領域６１、６２に入り込まないように、こぼれ止め７２１に折り癖を付けている。具体的には、こぼれ止め７２１に予め正面視略Ｖ字形のステッチ７２２または折り目を入れ、そのステッチ７２２または折り目に沿ってこぼれ止め７２１が折り曲げられるようにして、ステッチ７２２または折り目の内側にあるこぼれ止め７２１の中央部が前方に凸になるようにしている。
【００４３】
なお、このようなステッチ７２２に代えて、こぼれ止め７２１の幅方向の中央部に、上下方向に沿って延伸する細いタック等を縫製により形成することで、下段の棚７２のこぼれ止め７２１が前方に凸な山折り状に畳まれるように癖付けることも考えられる。
【００４４】
翻って、棒状の小物類を収納する空間領域６３には、棚７１、７２を設けない。これは、収納ケースの上縁から下縁まで一貫した広大な空間を確保して、長尺な小物類を好適に収納できるようにするためである。
【００４５】
当該空間領域６３の下縁にあたる位置には、同空間領域６３の底となる底板８１を設けている。底板８１は、側壁１、２及び背壁３の下縁と同等の高さ位置またはそれよりも若干上方にある。底板８１は、図１、図２及び図５に示すように収納ケースが拡張姿勢をとるときに左右に展開し、図３、図４及び図６に示すように収縮姿勢をとるときに畳まれる、可撓性を有する部材であり、空間領域６３に収納される棒状の小物類を支える。底板８１の一方の側端部は、仕切壁５における側壁２の面板２１に臨む面に取り付けて支持させる。底板８１の他方の側端部は、側壁２の面板２１の内面に取り付けて支持させる。この底板８１の両側端部は、側壁２の面板２１及び仕切壁５の下縁に沿うようにして、面板２１及び仕切壁５に接合している。さらに、底板８１の後端部は、背壁３の前向面に取り付けて支持させる。底板８１の後端部は、背壁３の下縁に沿うようにして背壁３に接合している。
【００４６】
底板８１の前端部には、拡張姿勢において左右に展開し底板８１の上面よりも上方に大きく迫り上がる前板８２を付設している。前板８２は、収縮姿勢において底板８１とともに畳まれる可撓性を有している。前板８２の一方の側端部は、仕切壁５における側壁２の面板２１に臨む面に取り付けて支持させる。前板８２の他方の側端部は、側壁２の面板２１の内面に取り付けて支持させる。つまり、前板８２は、底板８１とともに、他方の側壁２の面板２１と仕切壁５とを連結する。この前板８２の両側端部は、側壁２の面板２１及び仕切壁５の前縁に沿うようにして、面板２１及び仕切壁５に接合している。
【００４７】
空間領域６３に収納した棒状の小物類が前方に倒れ込み当該空間領域６３から脱落することを防ぐため、前板８２の上下寸法は比較的大きく、底板８１から見た前板８２の上端縁の高さは比較的高位置にある。本実施形態では、前板８２の上下寸法を約７０ｍｍ以上（８０ｍｍに近い）に設定している。これは、棚７１、７２のこぼれ止め７１１、７２１の上下寸法よりも大きい。
【００４８】
前板８２の前面には、薄いシート状または網状のポケット部材８２１を取り付け、前板８２との間に上方から物を差し入れることのできるポケットを形成している。ポケット部材８２１の左右の側端部は、前板８２の側端部の前面に接合し、ポケット部材８２１の下端部は、前板８２の下端部の前面に接合する。
【００４９】
因みに、側壁２の面板２１の外面にも、薄いシート状または網状のポケット部材２４を取り付け、面板２１との間に上方から物を差し入れることのできるポケットを形成することが可能である。このポケットは、本収納ケースが収縮姿勢をとるときにも外部に表出しており、ファスナ４を開くことなしに物を出し入れすることができる。ポケット部材２４の前端部、後端部及び下端部はそれぞれ、側壁２の面板２１の外面に取り付けて支持させる。同様のポケットを、側壁１の面板１１の外面に設けてもよいことは言うまでもない。
【００５０】
また、側壁２の面板２１の内面には、弾性変形により伸縮するバンド２３を取り付け、面板２１との間に物を差し挟むことができるようにしている。バンド２３の前端部及び後端部は、面板２１の前端部及び後端部に取り付けて支持させる。
【００５１】
本収納ケースの各部、即ち側壁１、２の面板１１、２１、マチ１２、２２、仕切板、棚７１、７２、こぼれ止め７１１、７２１、底板８１及び前板８２等はそれぞれ、布や樹脂フィルム、皮革等を材料として構成できる。芯材は、より硬質な樹脂の薄板等を材料として構成できる。収納ケースの各部は、縫製により接合してもよいし、接着または溶着等により接合してもよい。
【００５２】
本実施形態では、対向する内面間に小物類を収納するための収納空間６を形成するとともに、開閉可能であるように後縁部が連結され、互いに接近した収縮姿勢と、拡開して収納空間６を前方に開放しその状態で卓上に起立させることのできる拡張姿勢とをとり得る、対をなす側壁１、２と、前記収納空間６内に設けられ、前記収縮姿勢において撓み、前記拡張姿勢において展開してその上に棒状でない小物類を載置できかつ当該小物類を前方から視認できる棚７１、７２とを具備する小物類の収納ケースを構成した。
【００５３】
本実施形態によれば、小物類、特に棒状でない物品の出し入れがしやすく、収納した小物類の視認性も良好な収納空間６を有した収納ケースを具現できる。拡張姿勢とした収納ケースを前方または前上方から見たとき、各段の棚７１、７２の奥方即ち後方の領域をこぼれ止め７１１、７２１に遮られることなくよく見通すことができるので、棚７１、７２上に横たえてまたは寝かせて載置した小物類を容易に視認することが可能であり、必要な小物類を見つけやすい。
【００５４】
前記棚７１が、前記拡張姿勢において前記収納空間６の下縁よりも上方に浮いた位置に設けられているため、その棚７１の下方の空間領域６２をも小物類の収納に有効活用できる。
【００５５】
前記棚７１、７２は、前記拡張姿勢において前記収納空間６内で上下方向に複数段設けられており、その各段の棚７１、７２を小物類の収納に利用できる。
【００５６】
前記棚７１、７２の前端部に、前記収縮姿勢において撓み、前記拡張姿勢において展開して棚７１、７２の上面よりも上方に立ち上がるこぼれ止め７１１、７２１が付設されているため、棚７１、７２上の小物類が棚７１、７２から落下することを防止できる。棚７１、７２上の小物類がこぼれ止め７１１、７２１によって遮られず、その視認性が高く保たれるために、こぼれ止め７１１、７２１の上下寸法は約４５ｍｍ以下であることが好ましい。本実施形態では、こぼれ止め７１１、７２１の寸法を、約３０ｍｍないし約４５ｍｍに設定に設定している。
【００５７】
前記拡張姿勢において前記収納空間６の下縁よりも上方に浮いた位置に配された前記棚７１の前端部に、当該棚７１における小物類が載置される部位と比較して剛性が高い補強部７１２が設けられていれば、拡張姿勢において展開した棚７１の下方への弛みを抑制でき、その棚７１の下方の空間領域６２が圧迫されず、当該空間領域６２に対する小物類の出し入れが妨げられず、当該空間領域６２に収納した小物類の視認性も高く保たれる。前記補強部７１２は、前記棚７１と前記こぼれ止め７１１とが交わる部位をつまみ縫いすることにより形成されている。
【００５８】
前記拡張姿勢において前記収納空間６の下縁にあたる位置に配された前記棚７２に付設されている前記こぼれ止め７２１が、拡張姿勢から前記収縮姿勢に遷移する過程で前方に凸になるように畳まれるため、収縮姿勢において最下の棚７２のこぼれ止め７２１が後方に凹んで収納空間６に入り込むことが抑止される。従って、そのこぼれ止め７２１が最下の棚７２上に（即ち、下方の空間領域６２に）収納した小物類と干渉しにくくなり、収縮姿勢とした収納ケースを運搬しているときに棚７２上の小物類が脱落する可能性が低下する。さらには、収納ケースの運搬中に、上段の棚７１上に（即ち、上方の空間領域６１に）収納した小物類が上段の棚７１からこぼれたとしても、その小物類は最下の棚７２またはこぼれ止め７２１に受け止められ、いわば棚７２及びこぼれ止め７２１が受け皿または蓋となって、収納ケースから脱落することが抑制される。
【００５９】
前記拡張姿勢において前記収納空間６を左右に区画する仕切壁５を具備し、前記仕切壁５により区画された前記収納空間６の一方６１、６２に前記棚７１、７２が設けられ、他方６３に棒状の小物類を収納する空間領域６３が確保されているので、棒状でない小物類及び棒状の小物類をともに好適に収納することが可能となる。
【００６０】
そして、前記収縮姿勢において対をなす前記側壁１、２の前縁部同士を結合する一本のファスナ４を具備しているので、そのファスナ４を開く操作を通じて、棚７１、７２のある棒状でない小物類の収納に適した空間領域６１、６２と、棒状の小物類の収納に適した空間領域６３とを同時に開放することができる。並びに、そのファスナ４を閉じる操作を通じて、両空間領域６１、６２、６３を同時に閉鎖することができる。
【００６１】
対をなす前記側壁１、２の前縁部に互いに相寄る方向に拡張するマチ１２、２２が設けられ、そのマチ１２、２２の端縁部に前記ファスナ４が設けられていれば、収縮状態における収納空間６の容積を必要十分に確保できる。
【００６２】
なお、本発明は以上に詳述した実施形態に限られるものではない。例えば、上記実施形態の収納ケースは、収納空間６を開閉しかつ当該収納ケースを収縮状態に維持し得る一本のファスナ４を備えていた。並びに、棚７１、７２を有し棒状でない小物類を収納できる空間領域６１、６２と、棚７１、７２を有さず棒状の小物類を収納できる空間領域６３とを区画する仕切壁５が、収縮状態において収納空間６内に収まり側壁１、２の面板１１、２１、マチ１２、２２及び背壁３により隠蔽されるようになっていた。しかし、図９に示すように、互いに独立した二本のファスナ４０１、４０２を具備し、その一方４０１が収納空間６のうちの棚７１、７２を有する空間領域６１、６２を開閉し、他方４０２が棚７１、７２を有しない空間領域６３を開閉する収納ケースを構成することも可能である。
【００６３】
この変形例の収納ケースでは、前者の空間領域６１、６２を閉鎖したまま後者の空間領域６３を開放することができ、後者の空間領域６３を閉鎖したまま前者の空間領域６１、６２を開放することもできる。勿論、図９に示しているように、その両方６１、６２、６３を開放する拡張姿勢として卓上に起立させることも可能である。また、当該変形例では、両ファスナ４０１、４０２を閉じた収縮姿勢においても、両方の空間領域６１、６２、６３を区画する仕切壁５のマチ５０１、５０２が外部に表出する。前者の空間領域６１、６２を開閉するファスナ４０１は、一方の側壁１のマチ１２と仕切壁５のマチ５０１との間に介在し、後者の空間領域６３を開閉するファスナ４０２は、他方の側壁２のマチ２２と仕切壁５のマチ５０２との間に介在する。
【００６４】
収納ケースが包有する収納空間６を仕切壁５により分割することは必須ではない。図１０に示すように、仕切壁５を設けず、収納空間６の全域に亘って拡張する棚７０１、７０２、７０３を設けた収納ケースを構成することも可能である。この場合、棚７０１、７０２、７０３の両側端部はそれぞれ、左右の側壁１、２（の面板１１、２１）の内面に取り付けて支持させる。
【００６５】
収納空間６に設ける棚の段数は、二段に限定されない。図１０に示した変形例では、上下に三段の棚７０１、７０２、７０３を設けている。この場合においても、下方の棚７０３のこぼれ止め７０３１の上下寸法を、上方の棚７０１、７０２のこぼれ止め７０１１、７０２１の上下寸法よりも大きく設定することができる。
【００６６】
また、図１１に示すように、環状でない、即ち中が空でないタブ状の取っ手１３を設けることとしてもよい。
【００６７】
棚の段数は、一段でもよい。例えば、上述した収納ケースから上方の棚７１、７０１、７０２をオミットした、最下段の棚７２、７０３のみを有する収納ケースを構成することが考えられる。
【００６８】
さらに、棚７１、７２、７０１、７０２、７０３の前端部に接合し棚７１、７２、７０１、７０２、７０３の上面よりも上方に立ち上がるこぼれ止め７１１、７２１、７０１１、７０２１、７０３１は、必須の要素ではない。棚の前端部にこぼれ止めを設けない場合、例えば、収納ケースを起立させる拡張姿勢において、棚の前端部が棚の後端部よりも高くなるように、棚を傾斜させておくことが考えられる。あるいは、棚上に載置した小物類から受ける荷重により、当該小物類の直下の部位が下方に沈むように撓み変形または弾性変形する棚を設けてもよい。
【００６９】
棚７１、７２、７０１、７０２、７０３は、これを上下に貫通する小孔が穿たれているもの、または網状のものであってもよい。
【００７０】
その他、各部の具体的構成は、本発明の趣旨を逸脱しない範囲で種々変形が可能である。
【符号の説明】
【００７１】
１、２…側壁
１２、２２…マチ
４…ファスナ
５…仕切壁
６…収納空間
６１、６２…一方の空間領域
６３…他方の空間領域
７１、７２…棚
７１１、７２１…こぼれ止め
７１２…補強部
７２２…ステッチ
【図１】
2020039705.tif 000003
【図２】
2020039705.tif 000004
【図３】
2020039705.tif 000005
【図４】
2020039705.tif 000006
【図５】
2020039705.tif 000007
【図６】
2020039705.tif 000008
【図７】
2020039705.tif 000009
【図８】
2020039705.tif 000010
【図９】
2020039705.tif 000011
【図１０】
2020039705.tif 000012
【図１１】
2020039705.tif 000013